【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
転送メカニズムによる、第一のクライアントを利用する第一の当事者と、第二のクライアントを利用する第二の当事者との間の価値転送、を円滑化するシステムであって、前記転送メカニズムは、ファシリテータ、前記第一のクライアント、および第二のクライアントによってそれぞれコンピュータネットワークを介してアクセス可能な分散型デジタル通貨を含み、前記システムは、前記ファシリテータ、前記第一のクライアント、および前記第二のクライアントを含み、
ａ．前記ファシリテータは、
ｉ．取引記録セクタと第一の非対称キーペアを保管する第一のキーペアセクタとを有する第一のメモリであって、前記第一の非対称キーペアは、第一のプライベートキーおよび第一のパブリックキーを有する、第一のメモリと、
ｉｉ．支払額を決定するために使用する条件を受け取る第一のネットワークインターフェースであって、前記条件は、
Ａ．第一の元本額および第二の元本額の少なくとも１つと、
Ｂ．第一のデータソースおよび第二のデータソースの少なくとも１つへの参照であって、前記第一のデータソースは、第一の証券に関するデータを保管する第一のデータベースを含み、前記第二のデータソースは、第二の証券に関するデータを保管する第二のデータベースを有する、前記参照と、
Ｃ．支払条件と、
Ｄ．有効期限タイムスタンプと、を含む、第一のネットワークインターフェースと、を含み、
ｂ．前記第一のクライアントは、
ｉ．第二の非対称キーペアを保管する第二のキーペアセクタを有する第二のメモリであって、前記第二の非対称キーペアは、第二のプライベートキーおよび第二のパブリックキーを有する、第二のメモリと、
ｉｉ．第二のネットワークインターフェースと、
ｉｉｉ．前記第二のメモリおよび前記第二のネットワークインターフェースに結合された第二のコンピュータプロセッサであって、
Ａ．前記第二のキーペアセクタから前記第二のプライベートキーを読み取り、 
Ｂ．前記第二のプライベートキーを使用して第一のソース取引記録を作成し、署名し、
Ｃ．未完了のコミット取引記録を作成し、前記未完了のコミット取引記録は、
Ｉ．前記第一のデータソースおよび前記第二のデータソースの少なくとも１つからの値と、
ＩＩ．コミット額と、
ＩＩＩ．前記ファシリテータ、前記第一のクライアント、および前記第二のクライアントの少なくとも２つの承認を必要とする条件と、
を含み、
Ｄ．前記第二のプライベートキーを使用して前記未完了のコミット取引記録に署名することによって完全なコミット取引記録を作成し、
Ｅ．未完了の有効期限取引記録を作成し、前記未完了の有効期限取引記録は、
Ｉ．前記有効期限タイムスタンプ以降のロックタイムと、
ＩＩ．前記コミット額と、
ＩＩＩ．第一の有効期限額と、前記第一のクライアントの承認を必要とする第一の条件とを含む、第一の有効期限出力と、を含み、
Ｆ．前記第二のプライベートキーを使用して前記未完了の有効期限取引記録に署名し、
Ｇ．前記完全なコミット取引記録および前記未完了の有効期限取引記録を前記第二のクライアントへ送信し、
ｃ．前記第二のクライアントは、
ｉ．第三の非対称キーペアを保管する第三のキーペアセクタを有する第三のメモリであって、前記第三の非対称キーペアは、第三のプライベートキーおよび第三のパブリックキーを有する、第三のメモリと、
ｉｉ．第三のネットワークインターフェースと、
ｉｉｉ．前記第三のメモリおよび前記第三のネットワークインターフェースに結合された第三のコンピュータプロセッサであって、
Ａ．前記未完了の有効期限取引記録を読み取り、
Ｂ．前記第三のキーペアセクタから前記第三のプライベートキーを読み取り、
Ｃ．前記第三のプライベートキーを使用して前記未完了の有効期限取引記録に署名することによって、完全な有効期限取引記録を作成し、
Ｄ．前記完全な有効期限取引記録を前記第一のクライアントへ送信する、ように構成され、
前記ファシリテータの第一のコンピュータプロセッサは、
Ａ．アプリケーションプログラムインターフェース（ＡＰＩ）を介して、前記第一のデータソースおよび前記第二のデータソースの少なくとも１つから前記支払条件を満たすことを検出すると、支払機能を以下に適用して、１つ以上の支払額を計算し、
Ｉ．前記第一の元本額および前記第二の元本額の少なくとも１つと、
ＩＩ．前記第一のデータソースおよび前記第二のデータソースの少なくとも１つからの前記値と、
Ｂ．前記第一のキーペアセクタから前記第一のプライベートキーを読み取り、
Ｃ．前記第一のプライベートキーを使用して未完了の支払取引記録を作成し、署名し、前記未完了の支払取引は、
Ｉ．前記コミット取引から受け取った前記コミット額と、
ＩＩ．前記１つ以上の支払額と、
を含み、
Ｄ．前記署名された未完了の支払取引記録を前記第一のクライアントと前記第二のクライアントに発行することによって、前記第一のクライアントと前記第二のクライアントの少なくとも１つが、完全な支払取引記録を作成する、ように構成され、
前記ファシリテータ、前記第一のクライアント、および前記第二のクライアントは、前記第一のネットワークインターフェース、前記第二のネットワークインターフェース、および前記第三のネットワークをそれぞれ介して、前記コンピュータネットワークに結合されている、システム。
【請求項２】
前記支払条件は、
ｉ．前記第一のデータソースおよび前記第二のデータソースの少なくとも１つに対する質問からの結果と、
ｉｉ．予想される場所におけるデータの有無の観察と、
ｉｉｉ．予想される値の組の中または予想されパターンに一致するかどうかの決定と、
ｉｖ．デジタル機器からの信号を受信し、信号値が予想される範囲または許容値内であることを検証することと、
を含む、請求項１に記載のシステム。
【請求項３】
前記第三のコンピュータプロセッサが、第二のソース取引記録を作成し、署名し、前記第二のソース取引記録を前記転送メカニズムに提出することによって、前記第二のソース取引を有効にするようにさらに構成される、請求項１に記載のシステム。
【請求項４】
前記第二のコンピュータプロセッサは、前記第二のメモリ中に前記完全なコミット取引記録を保管するように、さらに構成され、
前記第三のコンピュータプロセッサは、前記第三のメモリ中に前記完全なコミット取引記録を保管し、前記第三のメモリ中に前記完全な有効期限取引記録を保管するように、さらに構成された、請求項１に記載のシステム。
【請求項５】
前記未完了の有効期限取引記録は、第二の有効期限額および前記第二のクライアントの承認を必要とする条件と、を含む第二の有効期限出力を、さらに含む、請求項１に記載のシステム。
【請求項６】
前記１つ以上の支払額は、
ｉ．第一の支払額と前記第二のクライアントの承認を必要とする条件と、
ｉｉ．第二の支払額と前記第一のクライアントの承認を必要とする条件と、
ｉｉｉ．手数料額、と第三者の承認を必要とする条件と、
のうち少なくとも１つを含む、請求項１に記載のシステム。
【請求項７】
前記第一のコンピュータプロセッサは、
ａ．前記第一のプライベートキーを使用して、未完了の払い戻し取引記録を作成し、署名することであって、前記未完了の払い戻し取引記録は、
ｉ．前記コミット取引から受け取った前記コミット額と、
ｉｉ．払い戻し額と、
を含み、
ｂ．前記未完了の払い戻し取引記録を前記第一のクライアントおよび前記第二のクライアントの少なくとも１つに発行する、
ようにさらに構成され、
前記第二のコンピュータプロセッサまたは前記第三のコンピュータプロセッサは、
前記未完了の払い戻し取引記録から完全な払い戻し取引記録を作成し、前記完全な払い戻し取引記録は、前記第一のクライアントまたは前記第二のクライアントが完全に失敗した事象が発生した場合でも資金を回収することができるように払い戻し取引を作成するために使用される、請求項１に記載のシステム。
【請求項８】
転送メカニズムによる、第一のクライアントを利用する第一の当事者と、第二のクライアントを利用する第二の当事者との間の価値転送、を円滑化する方法であって、前記転送メカニズムは、ファシリテータ、前記第一のクライアント、および第二のクライアントによってそれぞれコンピュータネットワークを介してアクセス可能な分散型デジタル通貨を含み、前記方法は、
ａ．第一の非対称キーペアを前記ファシリテータによって保管することであって、前記第一の非対称キーペアは、第一のプライベートキーおよび第一のパブリックキーを含み、
ｂ．支払額を決定するための条件を前記ファシリテータによって受け取ることであって、前記条件は、
Ａ．第一の元本額および第二の元本額の少なくとも１つと、
Ｂ．第一のデータソースおよび第二のデータソースの少なくとも１つへの参照であって、前記第一のデータソースは、第一の証券に関するデータを保管する第一のデータベースを含み、前記第二のデータソースは、第二の証券に関するデータを保管する第二のデータベースを有する、前記参照と、
Ｃ．支払条件と、
Ｄ．有効期限タイムスタンプと、を含み、
ｃ．前記第一のクライアントによって、第二の非対称キーペアを保管することであって、前記第二の非対称キーペアは、第二のプライベートキーおよび第二のパブリックキーを有し、
ｄ．前記第一のクライアントによって、第二のキーペアセクタから前記第二のプライベートキーを読み取ることと、
ｅ．前記第一のクライアントによって、前記第二のプライベートキーを使用して第一のソース取引記録を作成し、署名することと、
ｆ．前記第一のクライアントによって、以下を含む未完了のコミット取引記録を作成することと、
Ｉ．前記第一のデータソースおよび前記第二のデータソースの少なくとも１つからの値と、
ＩＩ．コミット額と、
ＩＩＩ．前記ファシリテータ、前記第一のクライアント、および前記第二のクライアントの少なくとも２つの承認を必要とする条件と、
ｇ．前記第一のクライアントによって、前記第二のプライベートキーを使用して前記未完了のコミット取引記録に署名することと、
ｈ．以下を含む未完了の有効期限取引記録を作成することと、
Ｉ．前記有効期限タイムスタンプ以降のロックタイムと、
ＩＩ．コミット額と、
ＩＩＩ．前記ファシリテータ、前記第一のクライアント、および前記第二のクライアントの少なくとも２つの承認を必要とする条件と、
ｉ．前記第二のプライベートキーを使用して前記未完了の有効期限取引記録に署名することと、
ｊ．完全なコミット取引記録および前記未完了の有効期限取引記録を前記第二のクライアントへ送信することと、
ｋ．前記第二のクライアントによって、第三の非対称キーペアを保管することであって、前記第三の非対称キーペアは、第三のプライベートキーおよび第三のパブリックキーを有し、
ｌ．前記第二のクライアントによって、前記未完了の有効期限取引記録を読み取ることと、
ｍ．前記第二にクライアントによって、第三のキーペアセクタから前記第三のプライベートキーを読み取ることと、
ｎ．前記第二のクライアントによって、前記第三のプライベートキーを使用して前記未完了の有効期限取引記録に署名することによって、完全な有効期限取引記録を作成することと、
ｏ．前記第二のクライアントによって、前記完全な有効期限取引記録を前記第一のクライアントへ送信することと、
ｐ．前記第一のクライアントによって、第一のソース取引記録を前記転送メカニズムに送り、前記第一のソース取引を有効にすることと、
ｑ．前記第一のクライアントによって、前記完全なコミット取引記録を前記転送メカニズムに送り、前記コミット取引を有効にすることと、
ｒ．前記ファシリテータによって、アプリケーションプログラムインターフェース（ＡＰＩ）を介して、前記第一のデータソースおよび前記第二のデータソースの少なくとも１つから前記支払条件を満たすことを検出すると、支払機能を以下に適用して、１つ以上の支払額を計算することと、
Ｉ．前記第一の元本額および前記第二の元本額の少なくとも１つと、
ＩＩ．前記第一のデータソースおよび前記第二のデータソースの少なくとも１つからの前記値と、
ｓ．前記ファシリテータによって、第一のキーペアセクタから前記第一のプライベートキーを読み取ることと、
ｔ．前記ファシリテータによって、前記第一のプライベートキーを使用して、以下を含む未完了の支払取引記録を作成し、署名することと、
Ｉ．前記コミット取引から受け取った前記コミット額と、
ＩＩ．前記１つ以上の支払額と、
ｕ．前記ファシリテータによって、前記署名された未完了の支払取引記録を前記第一のクライアントと前記第二のクライアントに発行することによって、前記第一のクライアントと前記第二のクライアントの少なくとも１つが、完全な支払取引記録を作成することと、
を含み、
前記ファシリテータ、前記第一のクライアント、および前記第二のクライアントは、第一のネットワークインターフェース、第二のネットワークインターフェース、および第三のネットワークをそれぞれ介して、前記コンピュータに結合されている、方法。
【請求項９】
前記支払条件は、
ｉ．前記第一のデータソースおよび前記第二のデータソースの少なくとも１つに対する質問からの結果と、
ｉｉ．予想される場所におけるデータの有無の観察と、
ｉｉｉ．予想される値の組の中または予想されパターンに一致するかどうかの決定と、
ｉｖ．デジタル機器からの信号を受信し、信号値が予想される範囲または許容値内であることを検証すること、
を含む、請求項８に記載の方法。
【請求項１０】
前記第二のクライアントによって、第二のソース取引記録を作成し、署名し、
前記第二のクライアントによって、前記第二のソース取引記録を前記転送メカニズムに提出することによって、前記第二のソース取引を有効にすることを、さらに含む、請求項８に記載の方法。
【請求項１１】
前記第一のクライアントによって、前記第二のメモリ中に前記完全なコミット取引を保管し、
前記第二のクライアントによって、前記第三のメモリ中に前記完全なコミット取引を保管し、前記第三のメモリ中に前記完全な有効期限取引記録を保管することを、さらに含む、請求項８に記載の方法。
【請求項１２】
前記未完了の有効期限取引記録は、第二の有効期限額および前記第二のクライアントの承認を必要とする条件を含む第二の有効期限出力を、さらに含む、請求項８に記載の方法。
【請求項１３】
前記１つ以上の支払額は、
ｉ．第一の支払額と前記第二のクライアントの承認を必要とする条件と
ｉｉ．第二の支払額と前記第一のクライアントの承認を必要とする条件と
ｉｉｉ．手数料額、および第三者の承認を必要とする条件と、
のうち少なくとも１つを含む、請求項８に記載の方法。
【請求項１４】
前記方法は、
ａ．前記第一のプライベートキーを使用して、未完了の払い戻し取引記録を作成し、署名し、前記未完了の払い戻し取引記録は、
ｉ．前記コミット取引から受け取った前記コミット額と、
ｉｉ．払い戻し額と、を含み、
ｂ．前記未完了の払い戻し取引記録を前記第一のクライアントおよび第二のクライアントの少なくとも１つに発行し、
ｃ．前記未完了の払い戻し取引記録から完全な払い戻し取引記録を作成し、前記完全な払い戻し取引記録は、前記第一のクライアントまたは前記第二のクライアントが完全に失敗した事象が発生した場合でも資金を回収することができるように払い戻し取引を作成するために使用される、
を含む、請求項８に記載の方法。
【請求項１５】
転送メカニズムによる、第一のクライアントを利用する第一の当事者と、第二のクライアントを利用する第二の当事者との間の価値転送、を円滑化するシステムであって、前記転送メカニズムは、ファシリテータ、前記第一のクライアント、および第二のクライアントによってそれぞれコンピュータネットワークを介してアクセス可能な分散型デジタル通貨を含み、前記システムは、前記ファシリテータ、前記第一のクライアント、および前記第二のクライアントを含み、
ａ．前記ファシリテータは、
ｉ．取引記録セクタと第一の非対称キーペアを保管する第一のキーペアセクタとを有する第一のメモリであって、前記第一の非対称キーペアは、第一のプライベートキーおよび第一のパブリックキーを有する、第一のメモリと、
ｉｉ．支払額を決定するための条件を受け取る第一のネットワークインターフェースであって、前記条件は、
Ａ．第一の元本額および第二の元本額の少なくとも１つと、
Ｂ．第一のデータソースおよび第二のデータソースの少なくとも１つへの参照と、前記第一のデータソースは、第一の証券に関するデータを保管する第一のデータベースを含み、前記第二のデータソースは、第二の証券に関するデータを保管する第二のデータベースを有する、
を含む、第一のネットワークインターフェースと、
ｉｉｉ．前記第一のメモリおよび前記第一のネットワークインターフェースに結合された第一のコンピュータプロセッサであって、
Ａ．支払機能を、
前記第一の元本額および前記第二の元本額の少なくとも１つ、および
前記第一のデータソースおよび前記第二のデータソースの少なくとも１つからの値に適用することにより、一つ以上の支払額を計算し、
Ｂ．前記第一のキーペアセクタから前記第一のプライベートキーを読み取り、
Ｃ．前記第一のプライベートキーから第一の暗号署名を計算し、
Ｄ．未完了の支払取引記録を作成し、前記未完了の支払取引記録は、
Ｉ．コミット取引から受け取るコミット額
ＩＩ．前記一つ以上の支払額、および
ＩＩＩ．前記第一の暗号署名、を含む、
Ｅ．前記未完了の支払取引記録を前記第一のクライアントおよび前記第二のクライアントの少なくとも１つに発行する、第一のコンピュータプロセッサと、
を含み、
ｂ．前記第一のクライアントは、
ｉ．第二の非対称キーペアを保管する第二のキーペアセクタを有する第二のメモリであって、前記第二の非対称キーペアは、第二のプライベートキーおよび第二のパブリックキーを有する、第二のメモリと、
ｉｉ．第二のネットワークインターフェースと、
ｉｉｉ．前記第二のメモリおよび前記第二のネットワークインターフェースに結合された第二のコンピュータプロセッサであって、
Ａ．前記第二のキーペアセクタから前記第二のプライベートキーを読み取り、
Ｂ．前記未完了の支払取引記録を読み取り、
Ｃ．前記第二のプライベートキーから第二の暗号署名を計算し、
Ｄ．完了した支払取引記録を作成し、前記完了した支払取引記録は、
Ｉ．前記コミット額、
ＩＩ．前記一つ以上の支払額、
ＩＩＩ．前記第一の暗号署名、および
ＩＶ．前記第二の暗号署名、を含む、
Ｅ．前記完了した支払取引記録を前記転送メカニズムに提出することにより支払取引を作成する、第二のコンピュータプロセッサと、
を含み、
ｃ．前記第二のクライアントは、
ｉ．第三の非対称キーペアを保管する第三のキーペアセクタを有する第三のメモリであって、前記第三の非対称キーペアは、第三のプライベートキーおよび第三のパブリックキーを有する、第三のメモリと、
ｉｉ．第三のネットワークインターフェースと、
ｉｉｉ．前記第三のメモリおよび前記第三のネットワークインターフェースに結合された第三のコンピュータプロセッサであって、前記第三のキーペアセクタから前記第三のプライベートキーを読み取る、第三のコンピュータプロセッサと、を含み、
前記ファシリテータ、前記第一のクライアント、および前記第二のクライアントは、前記第一のネットワークインターフェース、前記第二のネットワークインターフェース、および前記第三のネットワークインターフェースをそれぞれ介して前記コンピュータネットワークに結合されている、
システム。
【請求項１６】
前記第一のコンピュータプロセッサは、
ａ．前記第一のプライベートキーから第三の暗号署名を作成し、
ｂ．以下を有する未完了の払い戻し取引記録を作成し、
ｉ．前記コミット取引から受け取った前記コミット額と、
ｉｉ．払い戻し額と、
ｉｉｉ．前記第三の暗号署名と、
ｃ．前記未完了の払い戻し取引記録を前記第一のクライアントおよび前記第二のクライアントの少なくとも１つに発行する、
ようにさらに構成され、
前記第二のコンピュータプロセッサまたは第三のコンピュータプロセッサは、前記未完了の払い戻し取引記録から完全な払い戻し取引記録を作成するようにさらに構成され、前記完全な払い戻し取引記録は、前記第一のクライアントまたは前記第二のクライアントが、完全に失敗した事象が発生した場合でも資金を回収できるによう払い戻し取引を作成するために使用される、請求項１５に記載のシステム。
【請求項１７】
転送メカニズムによる、第一のクライアントを利用する第一の当事者と、第二のクライアントを利用する第二の当事者との間の価値転送を、円滑化するシステムによって実行される方法であって、前記転送メカニズムが、ファシリテータ、前記第一のクライアント、および第二のクライアントによってそれぞれコンピュータネットワークを介してアクセス可能な分散型デジタル通貨を含む、方法であって、
ａ．前記第一のクライアントが、第一の非対称キーペアを第一のメモリの第一のキーペアセクタに保管するステップであって、前記第一の非対称キーペアは、第一のパブリックキーおよび第一のプライベートキーを有する、ステップと、
ｂ．前記ファシリテータが、第二の非対称キーペアを第二のメモリの第二のキーペアセクタに保管するステップであって、前記第二の非対称キーペアは、第二のパブリックキーおよび第二のプライベートキーを有する、ステップと、
ｃ．前記ファシリテータが、第三の非対称キーペアを前記第二のキーペアセクタに保管するステップであって、前記第三の非対称キーペアは、第三のパブリックキーおよび第三のプライベートキーを有する、ステップと、
ｄ．前記第一のクライアントが、第四の非対称キーペアを第三のメモリの第三のキーペアセクタに保管するステップであって、前記第四の非対称キーペアは、第四のパブリックキーおよび第四のプライベートキーを有する、ステップと、
ｅ．前記第一のクライアントが、ネットワークインターフェースを介して支払額を決定するための条件を送信するステップであって、前記条件は、
ｉ．第一の元本額および第二の元本額の少なくとも１つと、
ｉｉ．第一のデータソースおよび第二のデータソースの少なくとも１つへの参照と、前記第一のデータソースは、証券に関するデータを保管する第一のデータベースを含み、前記第二のデータソースは、第二の証券に関するデータを保管する第二のデータベースを有する、
を含む、ステップと、
ｆ．前記ファシリテータが、前記条件を第二のネットワークインターフェースを介して受け取るステップと、
ｇ．前記ファシリテータが、支払機能を、
ｉ．前記第一の元本額および前記第二の元本額の少なくとも１つ、および
ｉｉ．前記第一のデータソースおよび前記第二のデータソースの少なくとも１つからの値、に適用することにより、一つ以上の支払額を計算するステップと、
ｈ．前記第一のクライアントが、前記第一のキーペアセクタから前記第一のプライベートキーを読み取るステップと、
ｉ．前記ファシリテータが、前記第一のプライベートキーから第一の暗号署名を計算するステップと、
ｊ．前記第一のクライアントが、第一の元本取引記録を作成するステップであって、前記第一の元本取引記録は、
ｉ．前記第一の元本額、および
ｉｉ．前記第一の暗号署名、を含む、ステップと、
ｋ．前記第一のクライアントが、前記第一の元本取引記録を前記転送メカニズムに提出することにより第一の元本取引を作成するステップと、
ｌ．前記ファシリテータが、前記第二のキーペアセクタから前記第二のプライベートキーを読み取るステップと、
ｍ．前記ファシリテータが、前記第二のプライベートキーから第二の暗号署名を計算するステップと、
ｎ．前記ファシリテータが、コミット取引記録を作成するステップであって、前記コミット取引記録は、
ｉ．前記第一の元本額、
ｉｉ．コミット額、および
ｉｉｉ．前記第二の暗号署名、を含む、ステップと、
ｏ．前記ファシリテータが、前記コミット取引記録を前記転送メカニズムに提出することによりコミット取引を作成するステップと、
ｐ．前記ファシリテータが、前記第一のデータソースから前記証券の値を引き出すステップと、
ｑ．前記ファシリテータが、前記第二のキーペアセクタから前記第三のプライベートキーを読み取るステップと、
ｒ．前記ファシリテータが、前記第二のプライベートキーから第三の暗号署名を計算するステップと、
ｓ．前記ファシリテータが、未完了の支払取引記録を作成するステップであって、前記未完了の支払取引記録は、
ｉ．前記コミット取引から受け取る前記コミット額、
ｉｉ．前記一つ以上の支払額、および
ｉｉｉ．前記第三の暗号署名、を含む、ステップと、
ｔ．前記ファシリテータが、前記未完了の支払取引記録を前記第一のクライアントおよび前記第二のクライアントの少なくとも１つに発行するステップと、
ｕ．前記第一のクライアントが、前記未完了の支払取引記録を読み取るステップと、
ｖ．前記第一のクライアントが、前記第三のキーペアセクタから前記第四のプライベートキーを読み取るステップと、
ｗ．前記第一のクライアントが、前記第四のプライベートキーから第四の暗号署名を計算するステップと、
ｘ．前記第一のクライアントが、完了した支払取引記録を作成するステップであって、前記完了した支払取引記録は、
ｉ．前記コミット額、
ｉｉ．前記一つ以上の支払額、
ｉｉｉ．前記第三の暗号署名、および
ｉｖ．前記第四の暗号署名、を含む、ステップと、
ｙ．前記第一のクライアントが、前記完了した支払取引記録を前記転送メカニズムに提出することにより支払取引を作成するステップと、
を有する、方法。
【請求項１８】
前記方法は、
ａ．前記ファシリテータによって、前記第一のプライベートキーから第三の暗号署名を計算することと、
ｂ．以下を有する未完了の払い戻し取引記録を作成することと、
ｉ．前記コミット取引から受け取った前記コミット額と、
ｉｉ．払い戻し額と、
ｉｉｉ．前記第三の暗号署名と、
ｃ．前記未完了の払い戻し取引記録を前記第一のクライアントおよび前記第二のクライアントの少なくとも１つに発行することと、
ｄ．前記未完了の払い戻し取引記録から完全な払い戻し取引記録を作成することであって、前記完全な払い戻し取引記録は、前記第一のクライアントまたは前記第二のクライアントが、完全に失敗した事象が発生した場合でも資金を回収できるによう払い戻し取引を作成するために使用される、
をさらに含む、請求項１７に記載の方法。
【請求項１９】
前記条件は、有効期限タイムスタンプ、をさらに含み、前記有効期限タイムスタンプは、いつ前記条件が失効するかを示す日時によって指定されか、または前記有効期限タイムスタンプは、前記条件が失効しないことを示す無限に設定される、請求項１７に記載の方法。
【請求項２０】
転送メカニズムによる、第一のクライアントを利用する第一の当事者と、第二のクライアントを利用する第二の当事者との間の価値転送、を円滑化する装置であって、前記転送メカニズムが、前記装置、前記第一のクライアント、および第二のクライアントによってそれぞれコンピュータネットワークを介してアクセス可能な分散型デジタル通貨を含む、装置であって、
ａ．取引記録セクタと第一の非対称キーペアを保管する第一のキーペアセクタとを有する第一のメモリであって、前記第一の非対称キーペアは、第一のプライベートキーおよび第一のパブリックキーを有する、第一のメモリと、
ｂ．支払額を決定するための条件を受け取る第一のネットワークインターフェースであって、前記条件は、
ｉ．第一の元本額および第二の元本額の少なくとも１つと、
ｉｉ．第一のデータソースおよび第二のデータソースの少なくとも１つへの参照と、前記第一のデータソースは、第一の証券に関するデータを保管する第一のデータベースを有し、前記第二のデータソースは、第二の証券に関するデータを保管する第二のデータベースを有する、を含む、第一のネットワークインターフェースと、
ｃ．前記第一のメモリおよび前記第一のネットワークインターフェースに結合された第一のコンピュータプロセッサであって、
ｉ．支払機能を、
Ａ．前記第一の元本額および前記第二の元本額の少なくとも１つ、および
Ｂ．前記第一のデータソースおよび前記第二のデータソースの少なくとも１つからの値、に適用することにより、一つ以上の支払額を計算し、
ｉｉ．前記第一のキーペアセクタから前記第一のプライベートキーを読み取り、
ｉｉｉ．前記第一のプライベートキーから第一の暗号署名を計算し、
ｉｖ．未完了の支払取引記録を作成し、前記未完了の支払取引記録は、
Ａ．コミット取引から受け取るコミット額、
Ｂ．前記一つ以上の支払額、および
Ｃ．前記第一の暗号署名、を含む、
ｖ．前記未完了の支払取引記録を前記第一のクライアントおよび前記第二のクライアントの少なくとも１つに発行する、第一のコンピュータプロセッサと、
を有し、
前記装置、前記第一のクライアント、および前記第二のクライアントは、前記第一のネットワークインターフェース、第二のネットワークインターフェース、および第三のネットワークインターフェースをそれぞれ介して前記コンピュータネットワークに結合されており、
前記未完了の支払取引記録は、完全な支払取引記録を前記転送メカニズムに送ることによって完全な支払取引を作成するために前記第一のクライアントおよび前記第二のクライアントの少なくとも１つによって使用され、
前記完全な支払取引記録は、
Ａ．前記コミット額と、
Ｂ．前記１つ以上の支払額と、
Ｃ．前記第一の暗号署名と、
Ｄ．前記第一のクライアントに保管された第二のプライベートキーから計算された第二の暗号署名と、含む、装置。
【請求項２１】
前記第一のコンピュータプロセッサは、
ａ．前記第一のプライベートキーから第三の暗号署名を計算し、
ｂ．以下を含む未完了の払い戻し取引記録を作成し、
ｉ．前記コミット取引から受け取った前記コミット額と、
ｉｉ．払い戻し額と、
ｉｉｉ．前記第三の暗号署名と、
ｉｖ．ロックタイムと、
ｃ．前記未完了の払い戻し取引記録を前記第一のクライアントおよび前記第二のクライアントの少なくとも１つに発行する、
ようにさらに構成され、
前記未完了の払い戻し取引記録は、前記第一のクライアントおよび／または前記第二のクライアントが、完全に失敗した事象が発生した場合でも資金を回収できるように払い戻し取引を作成することに使用される、請求項２０に記載の装置。
【請求項２２】
前記条件は、有効期限タイムスタンプをさらに含み、前記有効期限タイムスタンプは、いつ前記条件が失効するかを示す日時によって指定されか、または前記有効期限タイムスタンプは、前記条件が失効しないことを示す無限に設定される、請求項２０に記載の装置。